(57)【要約】【課題】あらかじめ冗長構成を有することなく、表示内容の変更、追加に容易に対応可能な背照式表示装置を得る。【解決手段】表示内容が記載された透過性シート１４を保持する表示部１３と透過性シート１４を背照する発光部１２とを有するセル２と、複数のセル２を表示内容が識別できるように保持するフレーム１とを備えた背照式表示装置であって、セル２は、表示部１３に保持された透過性シート１４を差し替えることで所望の表示内容に変更可能である。【選択図】図１
2009047752.tif 000002
【特許請求の範囲】
【請求項１】
表示内容が記載された透過性シートを保持する表示部と前記透過性シートを背照する発光部とを有するセルと、
複数のセルを表示内容が識別できるように保持するフレームと
を備えた背照式表示装置であって、
前記セルは、前記表示部に保持された透過性シートを差し替えることで所望の表示内容に変更可能であることを特徴とする背照式表示装置。
【請求項２】
請求項１に記載の背照式表示装置において、
前記表示部と前記発光部とは、ヒンジで係合され、前記ヒンジを支点として前記表示部を前記発光部から開放した状態で、前記透過性シートを交換可能とする構成を有することを特徴とする背照式表示装置。
【請求項３】
請求項１または２に記載の背照式表示装置において、
前記複数のセルのそれぞれは、前記フレームに取り付けるための突起部を有し、
前記フレームは、前記複数のセルのそれぞれに設けられた前記突起部と係合するための突起係合穴を有する
ことを特徴とする背照式表示装置。
【請求項４】
請求項１ないし３のいずれか１項に記載の背照式表示装置において、
前記複数のセル内のそれぞれの発光部は、ＬＥＤにて構成され、外部からの表示制御指令に応じて点灯／消灯することを特徴とする背照式表示装置。
【請求項５】
請求項４に記載の背照式表示装置において、
前記複数のセル内のそれぞれの発光部は、ＲＧＢの複数のＬＥＤにて構成され、外部からの表示制御指令に応じてＲＧＢ個別に選択的に点灯／消灯し、前記表示制御指令に応じて単色または合成した発光色を発光することを特徴とする背照式表示装置。
【請求項６】
請求項１ないし５のいずれか１項に記載の背照式表示装置において、
前記複数のセルを保持した１つのフレームを基本ユニットとし、
前記基本ユニットのフレーム端部を保持する１対の溝状レール構造を有し、複数の基本ユニットの着脱、スライドを可能とする全体フレームをさらに備えたことを特徴とする背照式表示装置。
【請求項７】
表示内容が記載された透過性シートを保持する表示部と前記透過性シートを背照する発光部とを有するセルをモジュール化し、モジュール化されたセルを複数個接続して構成される背照式表示装置であって、
前記モジュール化されたセルのそれぞれは、外部からの表示制御指令に応じて点灯／消灯を行う制御回路部品が実装された基板を前記発光部内に有するとともに、隣接するセルと電源および前記表示制御命令の送受信を行うコネクタ部を前記基板の端部に複数個有し、  隣接するセル同士は、それぞれのコネクタ同士を接続することにより機械的および電気的に相互接続される
ことを特徴とする背照式表示装置。
【請求項８】
表示内容が記載された透過性シートを保持する表示部と前記透過性シートを背照する発光部とを有するセルを複数個接続して構成される背照式表示装置であって、
隣接するセル同士が電気的に接続されたＮ個（ただし、Ｎは２以上の整数）のセルとＮ：１で接続され、外部からの表示制御信号に応じて、表示制御対象であるセルを特定するＩＤ情報と、発光部のＯＮ／ＯＦＦを特定する表示制御指令情報とを含む通信用信号を生成し、生成した前記通信用信号を前記Ｎ個のセルに対して送信することにより、それぞれのセルの表示制御を行う統括制御部を備え、
前記Ｎ個のセルのそれぞれは、固有ＩＤを設定するアドレス指定スイッチと、表示素子と、セル表示制御部とを有し、
前記セル表示制御部は、前記統括制御部から受信した前記通信用信号に含まれる前記ＩＤ情報と、前記アドレス設定スイッチで設定された前記固有ＩＤとが一致する場合には、前記通信用信号に含まれる前記表示制御指令情報に応じて、前記表示素子のＯＮ／ＯＦＦ制御を行う
ことを特徴とする背照式表示装置。
【発明の詳細な説明】
【技術分野】
【０００１】
本発明は、例えば、生産管理情報あるいは生産ラインの工程異常の有無に関する情報を表示するために用いられる背照式表示装置に関する。
【背景技術】
【０００２】
一例として、自動車の製造等を行う生産ラインでは、生産ラインの各工程で発生した異常に対して迅速に対応し、次工程への影響を少なくすることが重要である。そこで、生産ラインの工程異常の有無に関する情報（いわゆる「アンドン」情報）を表示する表示器が用いられている。
【０００３】
このような、いわゆる「アンドン」として使用されている従来の表示器は、複数の表示部を一体の箱に設け、表示部ごとの光源（白熱電球や蛍光灯など）を選択的に点灯している。このような従来の表示器において、遠方からの視認性を向上させるためには、全体として大型化する必要があり、それに伴って重量が重くなる。また、生産ラインに専用に設けられた表示器では、その表示内容の追加、変更が困難であるといった問題がある。
【０００４】
これに対して、表示内容を識別するための信号を、常用域と予備域に分け、常用域の信号に対しては固定の信号処理を行い、予備域に関しては、信号に応じた処理を選択可能とすることにより、信号の増加、変更に容易に対応する表示器がある（例えば、特許文献１参照）。
【０００５】
【特許文献１】特開平１１−９０７９５号公報
【発明の開示】
【発明が解決しようとする課題】
【０００６】
しかしながら、従来の表示器には、次のような課題がある。
特許文献１の表示器は、あらかじめ予備域を設けておき、予備域における信号処理を選択可能とすることにより、信号の増加、変更に対応している。このため、最初から冗長の構成を備えておく必要がある。従って、このような予備域を設けていない場合には、表示内容の変更、追加が困難になるといった問題がある。
【０００７】
本発明は上述のような課題を解決するためになされたもので、あらかじめ冗長構成を有することなく、表示内容の変更、追加に容易に対応可能な背照式表示装置を得ることを目的とする。
【課題を解決するための手段】
【０００８】
本発明に係る背照式表示装置は、表示内容が記載された透過性シートを保持する表示部と透過性シートを背照する発光部とを有するセルと、複数のセルを表示内容が識別できるように保持するフレームとを備えた背照式表示装置であって、セルは、表示部に保持された透過性シートを差し替えることで所望の表示内容に変更可能なものである。
【０００９】
また、本発明に係る背照式表示装置は、表示内容が記載された透過性シートを保持する表示部と透過性シートを背照する発光部とを有するセルをモジュール化し、モジュール化されたセルを複数個接続して構成される背照式表示装置であって、モジュール化されたセルのそれぞれは、外部からの表示制御指令に応じて点灯／消灯を行う制御回路部品が実装された基板を発光部内に有するとともに、隣接するセルと電源および表示制御命令の送受信を行うコネクタ部を基板の端部に複数個有し、隣接するセル同士は、それぞれのコネクタ同士を接続することにより機械的および電気的に相互接続されるものである。
【００１０】
さらに、本発明に係る背照式表示装置は、表示内容が記載された透過性シートを保持する表示部と透過性シートを背照する発光部とを有するセルを複数個接続して構成される背照式表示装置であって、隣接するセル同士が電気的に接続されたＮ個（ただし、Ｎは２以上の整数）のセルとＮ：１で接続され、外部からの表示制御信号に応じて、表示制御対象であるセルを特定するＩＤ情報と、発光部のＯＮ／ＯＦＦを特定する表示制御指令情報とを含む通信用信号を生成し、生成した通信用信号をＮ個のセルに対して送信することにより、それぞれのセルの表示制御を行う統括制御部を備え、Ｎ個のセルのそれぞれは、固有ＩＤを設定するアドレス指定スイッチと、表示素子と、セル表示制御部とを有し、セル表示制御部は、統括制御部から受信した通信用信号に含まれるＩＤ情報と、アドレス設定スイッチで設定された固有ＩＤとが一致する場合には、通信用信号に含まれる表示制御指令情報に応じて、表示素子のＯＮ／ＯＦＦ制御を行うものである。
【発明の効果】
【００１１】
本発明によれば、フレームに組み込まれたそれぞれのセルの透過性シートを交換することで、容易に表示内容を変更できるように表示部を構成することにより、あらかじめ冗長構成を有することなく、表示内容の変更、追加に容易に対応可能な背照式表示装置を得ることができる。
【発明を実施するための最良の形態】
【００１２】
以下、本発明の背照式表示装置の好適な実施の形態につき図面を用いて説明する。
【００１３】
実施の形態１．
図１は、本発明の実施の形態１における背照式表示装置の全体構成図の一例である。この図１の背照式表示装置は、フレーム１と、表示機能を有する４つのセル２、および外部から電源および表示制御指令信号を取り込むためのコネクタ付きケーブル２３で構成されている。それぞれのセル２は、フレーム１に容易に脱着可能となっており、詳細は、後述する。
【００１４】
次に、図２、図３を用いて、本発明におけるセル２の構成について、詳細に説明する。図２は、本発明の実施の形態１におけるセル２の全体外観図である。また、図３は、本発明の実施の形態１におけるセル２の構成図である。
【００１５】
図２、図３に示すように、セル２は、発光部ケース１１、発光部１２、表示部ケース１３、フィルム１４（透過性シートに相当）、ヒンジ１５、輝度ボリューム１６、およびコネクタ付きケーブル１７を含んで構成されている。発光部１２は、発光部ケース１１に収納されている。また、表示内容が記載されているフィルム１４は、表示部ケース１３に収納されている。さらに、発光部１２と表示部ケース１３とは、ヒンジ１５により互いに係合される。
【００１６】
そして、フィルム１４は、表示部ケース１３に容易に着脱可能な構成となっている。また、図３に示すように、ヒンジ１５を支点にして、表示部ケース１３と発光部ケース１１が開閉可能な構造となっている。従って、表示内容を変更したい場合には、表示部ケース１３を発光部ケース１１から開放した状態とし、所望の文字あるいは図形等の表示内容が書かれたフィルム１４を表示部ケース１３に挿入することにより、容易に行うことができる。
【００１７】
また、コネクタ付きケーブル１７は、セル２の単体ごとに設けられており、外部からの表示制御指令の信号線と、ＲＧＢの各ＬＥＤ群に電力を供給するための電源線とが集約されている。さらに、輝度ボリューム１６を調整することにより、表示輝度を変更することができる。
【００１８】
次に、発光部１２の詳細について説明する。図４は、本発明の実施の形態１におけるセル２に含まれている発光部１２の断面図である。発光部１２は、拡散シート１２１、発光板１２２、反射板１２３、およびプリント基板１２４を含んで構成され、発光部ケース１１内に収納されている。
【００１９】
また、プリント基板１２４には、背照式の光源となるいわゆる光の３原色のＲＧＢ（Ｒ：ＲＥＤ＝赤３１Ｒ、Ｇ：ＧＲＥＥＮ＝緑３１Ｇ、Ｂ：ＢＬＵＥ＝青３１Ｂ）のＬＥＤ群３１と、ＣＰＵ３２やドライバー３３に代表される制御回路部品とが搭載され、コネクタ付きケーブル１７を介して外部から表示制御指令信号および電力が供給される。赤の場合は３１Ｒ、緑の場合は３１Ｇ、青の場合は３１Ｂ、白の場合は３１ＲＧＢ全てに、黄色の場合は３１Ｒと３１Ｇといった具合に、選択的に電力が供給され、所望の色が発光される。
【００２０】
発光板１２２は、乱反射するように面加工が施されている。そして、発光板１２２は、表示制御指令信号に応じて発光したＬＥＤ群３１からの光を、発光板１２２の端部から受けることにより面発光する。発光板１２２により面発光した光は、拡散シート１２１を介して、フィルム１４が装着された方向（図４における上部方向）に拡散発光される。
【００２１】
さらに、反射板１２３の働きにより、プリント基板１２４側に漏れ出ようとする光が反射され、拡散シート１２１を介して、フィルム１４が装着された方向に拡散発光される。
【００２２】
次に、セル２のフレーム１への装着方法について説明する。図５は、本発明の実施の形態１におけるセル２を背面から見た斜視図である。発光部ケース１１には、発光部１２の冷却用として冷却板１９が設けられている。
【００２３】
さらに、セル２の背面には、図５における横方向に突起１８ａが設けられ、縦方向に突起１８ｂが設けられている。そして、これらの突起１８ａ、１８ｂのいずれかを、フレーム１に設けられた突起係合穴２５（図６で後述）と係合させることにより、セル２を、容易にフレーム１に装着することができる。方向が９０度異なるように配置されている突起１８ａ、１８ｂを有することにより、フレーム１に対して、セル２を横長あるいは縦長のいずれかの方向で装着可能となる。
【００２４】
次に、フレーム１の構成について、詳細に説明する。図６は、本発明の実施の形態１におけるフレーム１の構成を説明するための斜視図である。また、図７は、本発明の実施の形態１におけるフレーム１の構成を説明するための断面図である。
【００２５】
フレーム１の背面には、フレーム１に装着されるセル２に信号および電源を供給するためのマザーボード２１が取り付けられている。そして、マザーボード２１上には、それぞれのセルから出ているコネクタ付きケーブル１７を接続するためのレセプター２２が実装されている。
【００２６】
なお、例えば、図６に示すように、複数のセル２に対して共通のマザーボード２１を用いることができる。また、複数のマザーボード２１は、対応する複数のコネクタ２３ａを備えたコネクタ付きケーブル２３により接続され、外部からは、電力および入力信号が一括して供給される。さらに、背面パネル２４がフレーム１に取り付けられることにより、マザーボード２１およびコネクタ付きケーブル２３が露出しないようになっている。
【００２７】
また、フレーム１の正面側には、セル２の数に応じて、突起係合穴２５が設けられている。そして、図７の断面図に示したように、セル２に設けられた突起１８が突起係合穴２５に係合される。この結果、セル２をフレームに組み込む際に、ねじ等による固定が不要となり、着脱の容易化が図れることとなる。さらに、フレーム１には、発光部１２の冷却目的で、セル２の数に応じて窓２６が設けられている。
【００２８】
このような構成を備えた背照式表示装置においては、表示内容の変更、追加を伴う際には、フレーム１からセル２を取り外し、表示部ケース１３に収納されているフィルム１４を所望の表示内容が記載されたフィルム１４に交換することにより、容易に対応できる。
【００２９】
以上のように、実施の形態１によれば、フィルム交換により容易に表示内容を変更できる複数のセルを、フレームに容易に脱着可能な構成とすることにより、あらかじめ冗長構成を有することなく、表示内容の変更、追加に容易に対応可能な背照式表示装置を得ることができる。さらに、フィルム自体は安価であり、かつ市販のプリンタやコピー機を活用することにより、容易に作成できる。
【００３０】
なお、図１で示した構成においては、４つのセルがそれぞれ個別の表示内容を示す場合を例示しているが、本発明の背照式表示装置は、これに限定されるものではない。例えば、上下２つのセル、左右２つのセル、あるいは上下左右の４つのセルのように、複数のセルを同時点灯させることにより、１つの意味を持つ表示内容に対応づけることも可能である。この場合にも、複数のセルに対して所望のフィルムを挿入することにより、表示内容の変更、追加を容易に行うことができる。
【００３１】
実施の形態２．
本実施の形態２では、先の実施の形態１で説明したセル２の基本構成を用いて、複数方向の視認性を実現する背照式表示装置について説明する。図８は、本発明の実施の形態２における両面照光による背照式表示装置の構成図である。また、図９は、本発明の実施の形態２における多角形照光による背照式表示装置の構成図であり、三角形照光を例示している。
【００３２】
このように、複数面の発光が可能なようにセル２を構成することにより、目的に応じた複数方向の視認性を実現できる。この場合にも、所望の表示内容のフィルム１４を挿入することにより、表示内容の変更、追加に容易に対応可能となる。
【００３３】
また、セル２自体は、先の実施の形態１と同様の平板構成とし、フレーム１を、両面あるいは三面以上の多面構造とすることにより、セル２の着脱を容易にすることもできる。
【００３４】
さらに、図８に示した両面照光は、先の実施の形態２で説明したセル２を２個用いるのではない構造を例示している。具体的には、両面が反射するように構成された１枚の反射板１２３ａと、背照式の光源となる２列のＬＥＤ群３１と、乱反射加工が施された１対の発光板１２２と、１対の拡散シート１２１とでセルを構成している。
【００３５】
以上のように、実施の形態２によれば、フィルム交換により容易に表示内容を変更できる複数のセルを、フレームに容易に脱着可能な構成とすることにより、あらかじめ冗長構成を有することなく、表示内容の変更、追加に容易に対応可能な背照式表示装置を得ることができる。さらに、セルの配置あるいはフレーム構造を工夫することで、目的に応じた複数方向の視認性を実現できる。
【００３６】
なお、セル自体を円筒形で構成することにより、フィルム交換により容易に表示内容を変更でき、かつ目的に応じた全周方向の視認性を実現することができる。図１０は、本発明の実施の形態２における円筒照光による背照式表示装置の構成図である。所望の表示内容が書かれたフィルムを、円筒形のセルに挿入することにより、表示内容の変更が容易に行える。
【００３７】
実施の形態３．
本実施の形態１では、先の実施の形態１で説明した複数のセル２を備えたフレーム１の構成を基本ユニットとして、この基本ユニットを複数組み合わせることで、より表示面積の大きい背照式表示装置を得る場合について説明する。
【００３８】
図１１は、本発明の実施の形態３における背照式表示装置の全体図の一例である。この図１１の背照式表示装置は、フレーム１に３個のセル２が装着されて構成された基本ユニットが、全体フレーム３に複数個組み込まれている状態を示している。
【００３９】
さらに、図１２は、本発明の実施の形態３における図１１の背照式表示装置の横断面図である。全体フレーム３は、基本ユニットを構成するフレーム１の外周辺の一部を保持できるような溝を備えたレールで構成され、例えば、１対の溝状レール構造とすることができる。全体フレーム３がこのようなレール構造を有することにより、基本ユニットの脱着は、上下のレールにはめ込むような、いわゆる障子の着脱と同じような方法で行うことができ、容易に行うことができる。
【００４０】
また、図１２に示したように、２組の溝を有するレールによって全体フレーム３を構成することにより、基本ユニットを両面に組み込むことができ、複数方向の視認性を得ることができる。さらに、基本ユニットは、レール上をスライド可能であり、種々のレイアウトを容易に実現できる。
【００４１】
以上のように、実施の形態３によれば、フレームと複数のセルで構成された基本ユニットを全体フレームに対して容易に組み込める構成とすることにより、種々のレイアウトに対応した、より表示面積の大きい背照式表示装置を容易に実現できる。
【００４２】
なお、このような全体フレームを用いた背照式表示装置では、先の図１で示したように、基本ユニットごとにコネクタ付きケーブル２３があることとなる。このような場合にも、複数のコネクタ付きケーブル２３を集約する中継ケーブルを用いることにより、外部との信号の授受を一括化することができる。
【００４３】
実施の形態４．
先の実施の形態１〜３では、複数のセル２が組み込まれたフレーム１を基本ユニットとし、マザーボード２１やコネクタ付きケーブル２３を介してセル２間の電気的な相互接続を行う背照式表示装置について説明した。これに対して、本実施の形態４では、個々のセル２をモジュール化し、モジュール同士をコネクタ接続することにより電気的な相互接続を行うとともに、機械的な相互接続を行う背照式表示装置について説明する。
【００４４】
図１３は、本発明の実施の形態４における背照式表示装置のセル相互の電気的な接続状態を説明するための全体構成図である。この図１３において、複数のセル２は、個々にモジュール化された表示モジュール４０（１）〜４０（Ｎ）として表されている（ただし、Ｎは２以上の整数）。そして、コネクタ４１により相互に接続されたＮ台の表示モジュールのうち、端部の表示モジュール４０（１）には、制御基板５０が接続されている。
【００４５】
制御基板５０は、縦続接続されている複数の表示モジュール４０（１）〜４０（Ｎ）の表示制御を行うマスターコントローラの役割を果たす統括制御部に相当する。一方、Ｎ個の表示モジュール４０は、コネクタ接続により上位と下位との接続が可能となっており、任意の数からなる表示モジュールを増設接続することにより、所望の表示を行う背照式表示装置を構成することができる。
【００４６】
先の実施の形態１における図５では、セル２に対して外部から電源と信号を供給するために、プリント基板１２４に接続されたコネクタ付きケーブル１７を用いていた。これに対して、本実施の形態４では、このコネクタ付きケーブル１７の代わりに、上位接続用と下位接続用の２個のコネクタ４１がプリント基板１２４に実装される。さらに、２個のコネクタ４１は、図１３に示したような上位／下位との接続を可能とするように、セル２の両側面に、端部が露出するように構成される。
【００４７】
図１４は、本発明の実施の形態４における背照式表示装置のセル相互の機械的な接続状態を説明するための全体構成図である。この図１４に示すように、セル２は、側面に設けられたコネクタ４１および嵌合突起により相互に接続されており、モジュール化されたセルを１つのブロックとして、複数のブロックをつなげていくようにして容易に接続することができる。そして、このような接続により、機械的な接続と電気的な接続の両方の容易化を図っている。
【００４８】
次に、制御基板５０および複数の表示モジュール４０（１）〜４０（Ｎ）の内部回路および表示制御について説明する。制御基板５０は、電源入力端子５２を有しており、電源入力端子５２を介してＤＣ電源あるいはＡＣ電源を取り込むことができる。ＡＣ電源が供給される場合には、ＡＣ／ＤＣコンバータ５３を装備することにより、制御基板５０は、システム電源としてのＤＣ電源を生成できる。
【００４９】
さらに、制御基板５０は、外部から表示制御指令信号を取り込むために、パラレル、シリアル、ＥｔｈｅｒＮｅｔ等のいずれかの外部入力インターフェース機能を備えた信号入力端子５４を有している。そして、入力された表示制御指令信号は、シグナルコンバータ５５を介することにより、後段に接続されたＮ個の表示モジュール４０に供給するための通信用シリアル信号に変換される。
【００５０】
より具体的には、この通信用シリアル信号は、受信した表示制御指令信号に基づいてシグナルコンバータ５５により変換されるものであり、表示制御対象であるセルを特定するためのＩＤ情報と、表示制御対象であるセルの発光部のＯＮ／ＯＦＦを特定する表示制御指令情報とを含んでいる。
【００５１】
制御基板５０に備えられたコネクタ５１からは、システム電源としてのＤＣ電源、および通信用シリアル信号が、各表示モジュール４０に出力される。制御基板５０から出力される通信用シリアル信号は、各表示モジュール４０とマルチドロップ方式で接続される。
【００５２】
すなわち、各表示モジュール４０に対して固有のＩＤ番号を割り付けることにより、制御基板５０とＮ台の表示モジュールは、１：Ｎで接続可能となる。そして、図１３における末端の表示モジュール４０（Ｎ）には、通信用シリアル信号用の終端抵抗が備えられている。
【００５３】
表示モジュール４０は、コネクタ４１とともに、アドレス指定スイッチ４２、シリアル変換ＣＰＵ４３（セル表示制御部に相当）、および表示素子である３色のＬＥＤ（赤色ＬＥＤ４４Ｒ、緑色ＬＥＤ４４Ｇ、青色ＬＥＤ４４Ｂ）を有するＬＥＤシート４４を備えている。
【００５４】
そして、通信用シリアル信号を受信した表示モジュール４０内のシリアル変換ＣＰＵ４３は、通信用シリアル信号に含まれているＩＤ情報と、アドレス指定スイッチ４２で設定されたＩＤアドレスとが一致するか否かを判断する。そして、一致していると判断した場合には、シリアル変換ＣＰＵ４３は、通信用シリアル信号に含まれている表示制御指令信号のデータに基づいて、トランジスタ等の出力回路をＯＮ／ＯＦＦ制御することにより、所望のＬＥＤの点灯／消灯制御を行う。
【００５５】
このようにして、制御基板５０は、マルチドロップ方式で接続された所望の表示モジュールの表示制御を行うことができる。また、制御基板５０は、例えば、通信用シリアル信号を周期的に送信することにより、ＬＥＤの点灯／表示状態を更新制御することができる。
【００５６】
次に、制御基板５０からの表示制御により、所望の表示モジュール４０内のＲＧＢで構成されたＬＥＤの所望のＬＥＤを点灯／消灯させる具体的な処理動作について説明する。制御基板５０から出力される通信用シリアル信号は、上述したように、選択すべき表示モジュール４０のＩＤ情報と、点灯／消灯すべき赤色ＬＥＤ４４Ｒ、緑色ＬＥＤ４４Ｇ、青色ＬＥＤ４４Ｂの表示制御指令信号のデータとが含まれている。
【００５７】
図１５は、本発明の実施の形態４における制御基板５０から出力される通信用シリアル信号のデータ構成を示した図である。例えば、制御基板５０は、パターン１のデータを通信用シリアル信号として出力することにより、ＩＤ＝１の表示モジュール４０（１）の赤色ＬＥＤ４４Ｒ、緑色ＬＥＤ４４Ｇ、青色ＬＥＤ４４Ｂすべてを点灯状態とすることができる。
【００５８】
また、制御基板５０は、パターン２のデータを通信用シリアル信号として出力することにより、ＩＤ＝１の表示モジュール４０（１）の赤色ＬＥＤ４４Ｒ、緑色ＬＥＤ４４Ｇ、青色ＬＥＤ４４Ｂすべてを消灯状態とすることができる。以下、パターン３〜５の表示制御も同等に行うことができる。
【００５９】
以上のように、実施の形態４によれば、個々のセルを相互にコネクタ接続可能なモジュール化構成とすることにより、フィルム交換による表示内容の変更容易性を備えつつ、セルの任意の組み合わせによる拡張性を兼ね備えた背照式表示装置を得ることができる。
【００６０】
なお、上述の実施の形態４の説明では、セルをモジュール化し、それぞれの接続性を容易にする点のみを説明した。しかしながら、組み合わされた複数のセルは、先の実施の形態１、３で説明したように、フレーム１あるいは全体フレーム３とも容易に組み合わせることができる。
【００６１】
例えば、本実施の形態４の構成により組み合わされた複数のセルを、先の実施の形態１で説明した図１のフレーム１に組み込むことができる。また、本実施の形態４の構成により組み合わされた複数のセルは、先の実施の形態１の図５〜７で説明したように、突起１８を備えることにより、フレーム１に容易に着脱する構成とすることが可能である。
【００６２】
さらに、本実施の形態４の構成により組み合わされた複数のセルをフレーム１に装着した場合には、先の実施の形態３の図１１で説明したように、レール構造の全体フレームに対して組み込むことも可能である。
【００６３】
また、本実施の形態４で説明した制御基板５０は、表示モジュール４０と同一の外形を有するように構成する、あるいは、ある表示モジュール４０の中に制御基板５０自体を組み込む構成とすることにより、表示モジュール４０との形状の統一を図ることができる。
【００６４】
さらに、本実施の形態４においては、先の図１３に示したように、左右両側面にコネクタを設けて拡張の容易化を図っている。しかしながら、例えば、コネクタを上下方向の側面に配置すれば、表示モジュール４０を上下方向に容易に拡張することも可能となる。
【図面の簡単な説明】
【００６５】
【図１】本発明の実施の形態１における背照式表示装置の全体構成図の一例である。
【図２】本発明の実施の形態１におけるセル２の全体外観図である。
【図３】本発明の実施の形態１におけるセル２の構成図である。
【図４】本発明の実施の形態１におけるセル２に含まれている発光部１２の断面図である。
【図５】本発明の実施の形態１におけるセル２を背面から見た斜視図である。
【図６】本発明の実施の形態１におけるフレーム１の背面側の構成を説明するための斜視図である。
【図７】本発明の実施の形態１におけるフレーム１の背面側の構成を説明するための断面図である。
【図８】本発明の実施の形態２における両面照光による背照式表示装置の構成図である。
【図９】本発明の実施の形態２における多角形照光による背照式表示装置の構成図であり、三角形照光を例示している。
【図１０】本発明の実施の形態２における円筒照光による背照式表示装置の構成図である。
【図１１】本発明の実施の形態３における背照式表示装置の全体図の一例である。
【図１２】本発明の実施の形態３における図１１の背照式表示装置の横断面図である。
【図１３】本発明の実施の形態４における背照式表示装置のセル相互の電気的な接続状態を説明するための全体構成図である。
【図１４】本発明の実施の形態４における背照式表示装置のセル相互の機械的な接続状態を説明するための全体構成図である。
【図１５】本発明の実施の形態４における制御基板５０から出力される通信用シリアル信号のデータ構成を示した図である。
【符号の説明】
【００６６】
１  フレーム、２  セル、３  全体フレーム、１１  発光部ケース、１２  発光部、１３  表示部ケース（表示部）、１４  フィルム（透過性シート）、１５  ヒンジ、１６  輝度ボリューム、１７  ケーブル、１８、１８ａ、１８ｂ  突起、１９  冷却板、２１  マザーボード、２２  レセプター、２３  ケーブル、２３ａ  コネクタ、２４  背面パネル、２５  突起係合穴、２６  窓、３１  ＬＥＤ群、３１Ｂ  青ＬＥＤ、３１Ｒ  赤ＬＥＤ、３１Ｇ  緑ＬＥＤ、３２  ＣＰＵ、３３  ドライバー、４０  表示モジュール、４１  コネクタ、４２  アドレス指定スイッチ、４３  シリアル変換ＣＰＵ（セル表示制御部）、４４  ＬＥＤ（表示素子）、５０  制御基板（統括制御部）、５１  コネクタ、５２  電源入力端子、５３  コンバータ、５４  信号入力端子、５５  シグナルコンバータ、１２１  拡散シート、１２２  発光板、１２３、１２３ａ  反射板、１２４  プリント基板。
【図１】
2009047752.tif 000003
【図２】
2009047752.tif 000004
【図３】
2009047752.tif 000005
【図４】
2009047752.tif 000006
【図５】
2009047752.tif 000007
【図６】
2009047752.tif 000008
【図７】
2009047752.tif 000009
【図８】
2009047752.tif 000010
【図９】
2009047752.tif 000011
【図１０】
2009047752.tif 000012
【図１１】
2009047752.tif 000013
【図１２】
2009047752.tif 000014
【図１３】
2009047752.tif 000015
【図１４】
2009047752.tif 000016
【図１５】
2009047752.tif 000017